(57)【特許請求の範囲】
【請求項１】
無線通信環境において適用されている波形タイプを識別することを容易にする方法であって、
アップリンク送信のための波形タイプを選択することと、
前記選択された波形タイプに応じて基準信号を生成することと、
前記アップリンク送信の一部として前記基準信号を送信することと、
前記選択された波形タイプに応じて、前記基準信号のシンボル・ロケーションまたはトーン・ロケーションのうちの少なくとも１つを制御することと
を備える方法。
【請求項２】
前記波形タイプは、可能な波形タイプのセットから選択される、請求項１に記載の方法。
【請求項３】
前記可能な波形タイプのセットは、単一キャリア周波数分割多元接続（ＳＣ−ＦＤＭＡ）波形および直交周波数分割多元接続（ＯＦＤＭＡ）波形を含む、請求項２に記載の方法。
【請求項４】
受信した信号に応じて、前記アップリンク送信のための波形タイプを選択することをさらに備える、請求項１に記載の方法。
【請求項５】
前記アップリンク送信のための波形タイプを選択することはさらに、受信した信号を無視することを備える、請求項１に記載の方法。
【請求項６】
前記アップリンク送信のための波形タイプを、メトリックに基づいて選択することをさらに備える、請求項１に記載の方法。
【請求項７】
前記基準信号は、Ｚａｄｏｆｆ−Ｃｈｕシーケンスから生成された復調基準信号である、請求項１に記載の方法。
【請求項８】
前記復調基準信号のために使用されるＺａｄｏｆｆ−Ｃｈｕシーケンスは、前記選択された波形タイプに応じている、請求項７に記載の方法。
【請求項９】
前記選択された波形タイプに応じて基準信号を生成することはさらに、前記Ｚａｄｏｆｆ−Ｃｈｕシーケンスのための可能な異なるサイクリック・シフトのセットから、サイクリック・シフトを選択することを備え、
前記選択されたサイクリック・シフトは、前記選択された波形タイプに対応する、請求項８に記載の方法。
【請求項１０】
前記選択された波形タイプに応じて基準信号を生成することはさらに、前記Ｚａｄｏｆｆ−Ｃｈｕシーケンスのための可能な異なるルート・インデクスのセットから、ルート・インデクスを選択することを備え、
前記選択されたルート・インデクスは、前記選択された波形タイプに対応する、請求項８に記載の方法。
【請求項１１】
前記選択された波形タイプに応じて基準信号を生成することはさらに、前記選択された波形タイプに応じて、前記復調基準信号に対して逆高速フーリエ変換（ＩＦＦＴ）演算を実施する前に、前記復調基準信号に対してディスクリート・フーリエ変換（ＤＦＴ）／高速フーリエ変換（ＦＦＴ）演算が適用されるかを制御することを備える、請求項８に記載の方法。
【請求項１２】
無線通信装置であって、
アップリンク送信のための波形タイプを選択することと、
前記選択された波形タイプに応じて復調基準信号を生成することと、
前記復調基準信号を、前記アップリンク送信の一部として送信することと、
前記選択された波形タイプに応じて、前記復調基準信号のシンボル・ロケーションまたはトーン・ロケーションのうちの少なくとも１つを制御することと
に関連する命令群を保持するメモリと、
前記メモリに接続され、前記メモリに保持された命令群を実行するように構成されたプロセッサと
を備える無線通信装置。
【請求項１３】
前記波形タイプは、単一キャリア周波数分割多元接続（ＳＣ−ＦＤＭＡ）波形および直交周波数分割多元接続（ＯＦＤＭＡ）波形を含む可能な波形タイプのセットから選択される、請求項１２に記載の無線通信装置。
【請求項１４】
前記メモリはさらに、受信した信号に応じて、前記アップリンク送信のための波形タイプを選択することに関連する命令群を保持する、請求項１２に記載の無線通信装置。
【請求項１５】
前記メモリはさらに、前記受信した信号を無視することによって、前記アップリンク送信のための波形タイプを選択することに関連する命令群を保持する、請求項１４に記載の無線通信装置。
【請求項１６】
前記メモリはさらに、前記アップリンク送信のための波形タイプを、メトリックに基づいて選択することに関連する命令群を保持し、
前記メトリックは、信号対雑音比（ＳＮＲ）、立方メトリック、電力ヘッドルーム、形状、または送信モードのうちの少なくとも１つに関連する、請求項１２に記載の無線通信装置。
【請求項１７】
前記メモリはさらに、Ｚａｄｏｆｆ−Ｃｈｕシーケンスから前記復調基準信号を生成することに関連する命令群を保持し、
前記Ｚａｄｏｆｆ−Ｃｈｕシーケンスは、前記選択された波形タイプに応じている、請求項１２に記載の無線通信装置。
【請求項１８】
前記メモリはさらに、前記Ｚａｄｏｆｆ−Ｃｈｕシーケンスのための可能な異なるサイクリック・シフトのセットから、サイクリック・シフトを選択することに関連する命令群を保持し、
前記選択されたサイクリック・シフトは、前記選択された波形タイプに対応する、請求項１７に記載の無線通信装置。
【請求項１９】
前記メモリはさらに、前記Ｚａｄｏｆｆ−Ｃｈｕシーケンスのための可能な異なるルート・インデクスのセットから、ルート・インデクスを選択することに関連する命令群を保持し、
前記選択されたルート・インデクスは、前記選択された波形タイプに対応する、請求項１７に記載の無線通信装置。
【請求項２０】
前記メモリはさらに、前記選択された波形タイプに応じて、前記復調基準信号に対して逆高速フーリエ変換（ＩＦＦＴ）演算を実施する前に、前記復調基準信号に対してディスクリート・フーリエ変換（ＤＦＴ）／高速フーリエ変換（ＦＦＴ）演算が適用されるかを管理することに関連する命令群を保持する、請求項１７に記載の無線通信装置。
【請求項２１】
無線通信環境において、適用されている波形タイプを示すことを可能にする無線通信装置であって、
アップリンク送信のための波形タイプに基づいて基準信号を生成する手段と、
前記基準信号を含む前記アップリンク送信を伝送する手段と、
前記波形タイプに応じて、前記基準信号のシンボル・ロケーションまたはトーン・ロケーションのうちの少なくとも１つを制御する手段と
を備える無線通信装置。
【請求項２２】
前記アップリンク送信のための波形タイプを選択する手段をさらに備える、請求項２１に記載の無線通信装置。
【請求項２３】
前記波形タイプのシグナルされた選択を無視する手段をさらに備える、請求項２１に記載の無線通信装置。
【請求項２４】
前記波形タイプは、単一キャリア周波数分割多元接続（ＳＣ−ＦＤＭＡ）波形および直交周波数分割多元接続（ＯＦＤＭＡ）波形を含む可能な波形タイプのセットからのものである、請求項２１に記載の無線通信装置。
【請求項２５】
コンピュータ読取可能な記録媒体であって、
単一キャリア周波数分割多元接続（ＳＣ−ＦＤＭＡ）波形および直交周波数分割多元接続（ＯＦＤＭＡ）波形を含む可能な波形タイプのセットから選択される、アップリンク送信のための波形タイプを選択するためのコードと、
前記選択された波形タイプに応じて復調基準信号を生成するためのコードと、
前記アップリンク送信の一部として、前記復調基準信号を送信するためのコードと、    前記選択された波形タイプに応じて、前記復調基準信号のシンボル・ロケーションまたはトーン・ロケーションのうちの少なくとも１つを制御するためのコードと
を備えるコンピュータ読取可能な記録媒体。
【請求項２６】
受信された信号または分析されたメトリックのうちの少なくとも１つに基づいて、前記波形タイプを選択するためのコードをさらに備える、請求項２５に記載のコンピュータ読取可能な記録媒体。
【請求項２７】
前記選択された波形タイプに基づいて、前記復調基準信号を生成するために利用されるシーケンスを選択するためのコードをさらに備える、請求項２５に記載のコンピュータ読取可能な記録媒体。
【請求項２８】
無線通信装置であって、
単一キャリア周波数分割多元接続（ＳＣ−ＦＤＭＡ）波形および直交周波数分割多元接続（ＯＦＤＭＡ）波形を含む可能な波形タイプのセットから選択される、アップリンク送信のための波形タイプを選択し、
前記選択された波形タイプに応じて復調基準信号を生成し、
前記アップリンク送信の一部として、前記復調基準信号を送信し、
前記選択された波形タイプに応じて、前記復調基準信号のシンボル・ロケーションまたはトーン・ロケーションのうちの少なくとも１つを制御する
ように構成されたプロセッサ
を備える無線通信装置。
【請求項２９】
無線通信環境において利用されている波形タイプを認識することを容易にする方法であって、
基準信号を含むアップリンク送信を受信することと、
前記基準信号に関連付けられたパラメータを認識することと、
前記認識されたパラメータに基づいて、前記アップリンク送信のために利用されている波形タイプを検出することと
を備え、
前記パラメータは、前記基準信号が伝送されるシンボル・ロケーションまたはトーン・ロケーションのうちの少なくとも１つである、方法。
【請求項３０】
前記基準信号は復調基準信号である、請求項２９に記載の方法。
【請求項３１】
前記アップリンク送信のために使用されるべき、基地局によって選択された波形タイプを示す信号を送信することをさらに備える、請求項２９に記載の方法。
【請求項３２】
前記パラメータは、前記基準信号に関連付けられたＺａｄｏｆｆ−Ｃｈｕシーケンスの識別情報をさらに含む、請求項２９に記載の方法。
【請求項３３】
仮定されているＺａｄｏｆｆ−Ｃｈｕシーケンスのローカル・コピーとの相関後のエネルギ検出に基づいて、前記Ｚａｄｏｆｆ−Ｃｈｕシーケンスの識別情報を評価することをさらに備える、請求項３２に記載の方法。
【請求項３４】
前記Ｚａｄｏｆｆ−Ｃｈｕシーケンスの識別情報を評価することはさらに、前記Ｚａｄｏｆｆ−Ｃｈｕシーケンスのサイクリック・シフト、前記Ｚａｄｏｆｆ−Ｃｈｕシーケンスのルート・インデクス、あるいは、逆高速フーリエ変換（ＩＦＦＴ）演算を適用する前に、前記Ｚａｄｏｆｆ−Ｃｈｕシーケンスにディスクリート・フーリエ変換（ＤＦＴ）／高速フーリエ変換（ＦＦＴ）演算が適用されたか、のうちの少なくとも１つを検出することを備える、請求項３３に記載の方法。
【請求項３５】
前記アップリンク送信の復号または復調のうちの少なくとも１つを行うために、前記検出された波形タイプを導入することをさらに備える、請求項２９に記載の方法。
【請求項３６】
無線通信装置であって、
復調基準信号を含むアップリンク送信を取得することと、
前記復調基準信号に関連付けられたパラメータを識別することと、
前記識別されたパラメータに基づいて、前記アップリンク送信のために利用されている波形タイプを検出することと
に関連する命令群を保持するメモリと、
前記メモリに接続され、前記メモリに保持された命令群を実行するように構成されたプロセッサと
を備え、
前記パラメータは、前記復調基準信号が伝送されるシンボル・ロケーションまたはトーン・ロケーションのうちの少なくとも１つである、無線通信装置。
【請求項３７】
前記メモリはさらに、前記アップリンク送信のために使用されるべき、基地局によって選択された波形タイプを示す信号を送信することに関連する命令群を保持する、請求項３６に記載の無線通信装置。
【請求項３８】
前記パラメータは、前記復調基準信号に関連付けられたＺａｄｏｆｆ−Ｃｈｕシーケンスの識別情報をさらに含む、請求項３６に記載の無線通信装置。
【請求項３９】
前記メモリはさらに、仮定されているＺａｄｏｆｆ−Ｃｈｕシーケンスのローカル・コピーとの相関後のエネルギ検出に基づいて、前記Ｚａｄｏｆｆ−Ｃｈｕシーケンスの識別情報を分析することに関連する命令群を保持する、請求項３８に記載の無線通信装置。
【請求項４０】
無線通信環境において利用されている波形タイプを認識することを可能にする無線通信装置であって、
受信したアップリンク送信内に含まれる基準信号に関連付けられたパラメータを識別する手段と、
前記識別されたパラメータに応じて、前記アップリンク送信のために利用されている波形タイプを検出する手段と
を備え、
前記パラメータは、前記基準信号が伝送されるシンボル・ロケーションまたはトーン・ロケーションのうちの少なくとも１つである、無線通信装置。
【請求項４１】
前記アップリンク送信のために利用されている波形タイプを制御する信号を送信する手段をさらに備える、請求項４０に記載の無線通信装置。
【請求項４２】
前記パラメータは、前記基準信号に関連付けられたＺａｄｏｆｆ−Ｃｈｕシーケンスの識別情報をさらに含む、請求項４０に記載の無線通信装置。
【請求項４３】
コンピュータ読取可能な記録媒体であって、
受信したアップリンク送信内に含まれる基準信号に関連付けられたパラメータを識別するためのコードと、
前記識別されたパラメータに応じて、前記アップリンク送信のために利用されている波形タイプを検出するためのコードと
を備え、
前記パラメータは、前記基準信号が伝送されるシンボル・ロケーションまたはトーン・ロケーションのうちの少なくとも１つである、コンピュータ読取可能な記録媒体。
【請求項４４】
前記アップリンク送信のために利用されている波形タイプを制御する信号を送信するためのコードをさらに備える、請求項４３に記載のコンピュータ読取可能な記録媒体。
【請求項４５】
前記パラメータは、前記基準信号に関連付けられたＺａｄｏｆｆ−Ｃｈｕシーケンスの識別情報をさらに含む、請求項４３に記載のコンピュータ読取可能な記録媒体。
【発明の詳細な説明】
【関連出願に対する相互参照】
【０００１】
本願は、２００８年９月１２日に出願された“ＭＥＴＨＯＤＳ  ＯＦ  ＥＦＦＩＣＩＥＮＴＬＹ  ＩＤＥＮＴＩＦＹＩＮＧ  ＳＹＳＴＥＭ  ＷＡＶＥＦＯＲＭ  ＩＮ  ＵＰＬＩＮＫ  ＴＲＡＮＳＭＩＳＳＩＯＮ”と題された米国仮出願６１／０９６，５８８号の利益を主張する。上記出願の全体は、参照によって本明細書に組み込まれる。
【技術分野】
【０００２】
以下の記載は、一般に無線通信に関し、さらに詳しくは、無線通信システムにおけるアップリンク送信のために利用されている波形タイプを示すことに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効通信範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００８】
一般に、従来の無線通信システムでは、アクセス端末によるアップリンク送信のために、１つの波形タイプが使用される。例えば、ロング・ターム・イボリューション（ＬＴＥ）リリース８では、アップリンクにおいて、単一キャリア周波数分割多元接続（ＳＣ−ＦＤＭＡ）が使用されうる。したがって、従来のそのような無線通信システムにおける基地局は、アップリンク送信が、アクセス端末によって、ＳＣ−ＦＭＤＡが用いられて符号化、変調、送信等される（例えば、ＳＣ−ＦＤＭＡ波形がアクセス端末によって生成され、アップリンクによって送信される）という先験的な知見を導入することによって、アップリンク送信の受信、検出、復号、復調等を行う。
【発明の概要】
【０００９】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を識別することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１０】
１または複数の実施形態および対応する開示によれば、さまざまな態様が、無線通信環境において、アップリンク送信のために利用されている波形タイプを示すことを容易にすることに関連して記載される。アクセス端末は、可能な波形タイプのセットから波形タイプを選択しうる。さらに、選択された波形タイプに基づいて、基準信号が生成されうる。例えば、基準信号を生成するために適用されるシーケンスは、選択された波形タイプに応じて生成および／または選択されうる。別の例示によれば、基準信号のトーン・ロケーションおよび／またはシンボル・ロケーションが、選択された波形タイプに基づきうる。さらに、基準信号は、アップリンク送信の一部として、アクセス端末から基地局へと送信されうる。基地局は、基準信号から認識されたパラメータに基づいて、アップリンク送信のためにアクセス端末によって利用されている、選択された波形タイプを検出しうる。
【００１１】
関連する態様によれば、本明細書では、無線通信環境において適用されている波形タイプを識別することを容易にする方法が記載される。この方法は、アップリンク送信のための波形タイプを選択することを含みうる。さらに、この方法は、選択された波形タイプに応じて基準信号を生成することを含みうる。さらに、この方法は、アップリンク送信の一部として基準信号を送信することを含みうる。
【００１２】
別の態様は、無線通信装置に関する。この無線通信装置は、アップリンク送信のための波形タイプを選択することと、選択された波形タイプに応じて復調基準信号を生成することと、この復調基準信号を、アップリンク送信の一部として送信することと、に関連する命令群を保持するメモリを含みうる。さらに、この無線通信装置は、メモリに接続され、メモリに保持された命令群を実行するように構成されたプロセッサを含みうる。
【００１３】
さらに別の態様は、無線通信環境において、適用されている波形タイプを示すことを可能にする無線通信装置に関する。この無線通信装置は、アップリンク送信のための波形タイプに基づいて基準信号を生成する手段を含みうる。さらに、この無線通信装置は、基準信号を含むアップリンク送信を伝送する手段を含みうる。
【００１４】
さらに別の態様は、コンピュータ読取可能媒体を備えるコンピュータ・プログラム製品に関する。コンピュータ読取可能媒体は、アップリンク送信のための波形タイプを選択するためのコードを含みうる。この波形タイプは、単一キャリア周波数分割多元接続（ＳＣ−ＦＤＭＡ）波形および直交周波数分割多元接続（ＯＦＤＭＡ）波形を含む可能な波形タイプのセットから選択される。さらに、コンピュータ読取可能媒体は、選択された波形タイプに応じて復調基準信号を生成するためのコードを含みうる。さらに、コンピュータ読取可能媒体は、アップリンク送信の一部として復調基準信号を送信するためのコードを含みうる。
【００１５】
他の態様によれば、無線通信装置は、プロセッサを含みうる。このプロセッサは、アップリンク送信のための波形タイプを選択するように構成されうる。この波形タイプは、単一キャリア周波数分割多元接続（ＳＣ−ＦＤＭＡ）波形および直交周波数分割多元接続（ＯＦＤＭＡ）波形を含む可能な波形タイプのセットから選択される。さらに、プロセッサは、選択された波形タイプに応じて復調基準信号を生成するように構成されうる。さらに、プロセッサは、アップリンク送信の一部として復調基準信号を送信するように構成されうる。
【００１６】
他の態様によれば、本明細書では、無線通信環境において利用されている波形タイプを認識することを容易にする方法が記載される。この方法は、基準信号を含むアップリンク送信を受信することを含みうる。この方法はまた、基準信号に関連付けられたパラメータを認識することを含みうる。さらに、この方法は、認識されたパラメータに基づいて、アップリンク送信のために利用されている波形タイプを検出することを含みうる。
【００１７】
別の態様は、無線通信装置に関する。この無線通信装置は、復調基準信号を含むアップリンク送信を取得することと、復調基準信号に関連付けられたパラメータを識別することと、識別されたパラメータに基づいて、アップリンク送信のために利用されている波形タイプを検出することと、に関連する命令群を保持するメモリを含みうる。さらに、この無線通信装置は、メモリに接続され、メモリに保持された命令群を実行するように構成されたプロセッサを含みうる。
【００１８】
また別の態様は、無線通信環境において利用されている波形タイプを認識することを可能にする無線通信装置に関連する。この無線通信装置は、受信されたアップリンク送信に含まれる基準信号に関連付けられたパラメータを識別する手段を含みうる。さらに、この無線通信装置は、識別されたパラメータに応じて、アップリンク送信のために利用されている波形タイプを検出する手段を含みうる。
【００１９】
さらに別の態様は、コンピュータ読取可能媒体を備えるコンピュータ・プログラム製品に関する。コンピュータ読取可能媒体は、受信したアップリンク送信内に含まれる基準信号に関連付けられたパラメータを識別するためのコードを含みうる。さらに、コンピュータ読取可能媒体は、識別されたパラメータに応じて、アップリンク送信のために利用されている波形タイプを検出するためのコードを含みうる。
【００２０】
別の態様によれば、無線通信装置は、プロセッサを含みうる。このプロセッサは、復調基準信号を含むアップリンク送信を受信するように構成されうる。さらに、プロセッサは、復調基準信号に関連付けられたパラメータを認識するように構成されうる。このパラメータは、復調基準信号に関連付けられたＺａｄｏｆｆ−Ｃｈｕシーケンスの識別情報、復調基準信号のシンボル・ロケーション、または、復調基準信号のトーン・ロケーションのうちの少なくとも１つである。プロセッサはまた、認識されたパラメータに基づいて、アップリンク送信のために利用されている波形タイプを検出するように構成されうる。さらに、プロセッサは、検出された波形タイプに基づいて、アップリンク送信を復号するように構成されうる。
【００２１】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００２２】
【図１】図１は、本明細書に記載されたさまざまな態様にしたがう無線通信システムの実例である。
【図２】図２は、無線通信環境におけるアップリンク送信のために利用されている波形タイプをシグナルするシステムの例示である。
【図３】図３は、無線通信環境におけるアップリンク送信のために利用されている波形タイプを管理するシステムの例示である。
【図４】図４は、無線通信環境において適用されている波形タイプを識別することを容易にする方法の例示である。
【図５】図５は、無線通信環境において利用されている波形タイプを認識することを容易にする方法の例示である。
【図６】図６は、無線通信システムにおいて、アップリンクで利用されている波形タイプを示すアクセス端末の例示である。
【図７】図７は、無線通信環境において、アップリンクで利用されている波形タイプを識別するシステムの例示である。
【図８】図８は、本明細書に記載されたさまざまなシステムおよび方法と共に適用されうる無線ネットワーク環境の例示である。
【図９】図９は、無線通信環境において適用されている波形タイプを示すことを可能にするシステムの例示である。
【図１０】図１０は、無線通信環境において利用されている波形タイプを認識することを容易にするシステムの例示である。
【発明を実施するための形態】
【００２３】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２４】
本願で使用されるように、用語「構成要素」、「モジュール」、「システム」などは、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２５】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２６】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２７】
さらに、本明細書ではさまざまな実施形態が、アクセス端末に関連して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末との通信のために利用することができ、アクセス・ポイント、ノードＢ、イボルブド・ノードＢ（ｅＮｏｄｅＢ、ｅＮＢ）、あるいはその他のいくつかの用語で称されうる。
【００２８】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２９】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００３０】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００３１】
基地局１０２は、アクセス端末１１６およびアクセス端末１２２のような１または複数アクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３２】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００３３】
従来のアプローチは、しばしば、無線通信環境内で、１つのアップリンク波形タイプしか使用しない。例えば、ロング・ターム・イボリューション（ＬＴＥ）リリース８は、アップリンクにおいて単一キャリア周波数分割多元接続（ＳＣ−ＦＤＭＡ）波形を利用する。したがって、そのような従来システムにおけるアクセス端末は、アップリンクにおいてＳＣ−ＦＤＭＡ波形を使用する。
【００３４】
しかしながら、さまざまなシナリオの下では、アップリンクにおいて異なる波形タイプを導入するアクセス端末１１６、１２２が有利でありうる。したがって、従来のアプローチとは対照的に、本明細書で述べられた技術は、システム１００において、アップリンク送信のために、複数の波形タイプを利用することをサポートしうる。例えば、アクセス端末１１６は、アップリンクで第１の波形タイプを利用し、アクセス端末１２２は、アップリンクで第２の波形タイプを適用しうる。ここで第１の波形タイプは、第２の波形タイプと異なりうる。さらに、（例えば、異なる条件の下、異なる期間中、アップリンク送信を別の基地局へ送信するために、（図示しない）別のアクセス端末（単数または複数）によって別の波形タイプが使用されうるが、）アクセス端末１１６、１２２はおのおの、アップリンク送信のために同じ波形タイプをそれぞれ適用しうることが考慮される。さらに、アクセス端末１１６、１２２によってそれぞれ使用される波形タイプは、（例えば、アクセス端末１１６、１２２によって、および／または、基地局１０２によってそれぞれ）時間にわたって静的または動的に変更されるように構成されうる。
【００３５】
システム１００は、アクセス端末１１６、１２２のおのおのが、アップリンク送信のためにそれぞれ使用される波形タイプを指定できるようにしうる。したがって、システム１００におけるアップリンク送信のために、波形タイプのセットが使用されるので、アクセス端末１１６、１２２のおのおのが、アップリンク送信のために実際に導入されているセットから、特定の波形タイプを示しうる。アクセス端末１１６、１２２のおのおのからそれぞれ取得されたインジケーションに基づいて、基地局１０２は、アクセス端末１１６、１２２のおのおのによって使用されている特定の波形タイプを検出しうる（例えば、これは、アップリンク送信を受信、検出、復号、復調等するために使用されうる。）。
【００３６】
図２に参照するように、無線通信環境においてアップリンク送信のために利用されている波形タイプをシグナルするシステム２００が例示される。システム２００は、情報、信号、データ、命令、コマンド、ビット、シンボル等を送信および／または受信しうるアクセス端末２０２を含む。アクセス端末２０２は、順方向リンクおよび／または逆方向リンクを介して基地局２０４と通信しうる。基地局２０４は、情報、信号、データ、命令、コマンド、ビット、シンボル等を送信および／または受信しうる。図示されていないが、システム２００は、アクセス端末２０２に類似した任意の数のアクセス端末、および／または、基地局２０４に類似した任意の数の基地局を含みうることが考慮される。例示によれば、システム２００は、ロング・ターム・イボリューション（ＬＴＥ）ベースのシステム、ロング・ターム・イボリューション−アドバンスト（ＬＴＥ−Ａ）ベースのシステム等でありうる。しかしながら、権利主張された主題は、それには限定されない。
【００３７】
アクセス端末２０２は、波形制御構成要素２０６および信号生成構成要素２０８を含みうる。波形制御構成要素２０６は、アクセス端末２０２から基地局２０４へのアップリンク送信のためにアクセス端末２０２によって利用されるべき特定の波形タイプを特定しうる。例えば、波形制御構成要素２０６は、観察されたメトリックに応じて、特定の波形タイプを選択しうる。さらに、または、その代わりに、波形制御構成要素２０６は、アクセス端末２０２によって使用されている特定の波形タイプを制御する基地局２０４（または、その他任意のソース）から信号を受信しうる。さらに、特定の波形タイプを持つ信号を生成するために、波形制御構成要素２０６は、アクセス端末２０２の送信機（図示せず）、変調器（図示せず）等を管理しうる。別の例によれば、波形制御構成要素２０６は、特定の波形タイプを持つ信号を生成するように導入されうる送信機および／または変調器を含みうる。さらに、特定の波形タイプを持つ信号が、アップリンクによって基地局２０４へ送信されうる。
【００３８】
例によれば、アップリンク送信のためのさまざまな波形タイプが、システム２００によってサポートされうる。したがって、さまざまな波形タイプが、波形制御構成要素２０６によって管理されるように、（例えば、所与の期間中）アップリンク送信を基地局２０４へ送信するために、アクセス端末２０２によって利用されるべき可能な波形タイプのセットに含まれうる。可能な波形タイプのセットは、Ｎ個の可能な波形タイプを含みうる。ここで、Ｎは、実質的に任意の整数でありうる。例えば、単一キャリア周波数分割多元接続（ＳＣ−ＦＤＭＡ）波形が、アップリンクで使用されうる。別の例によれば、直交周波数分割多元接続（ＯＦＤＭＡ）波形が、アップリンクで利用されうる。本明細書で記載された例の多くは、ＳＣ−ＦＤＭＡ波形またはＯＦＤＭＡ波形を含む可能な波形タイプのセットを使用するコンテキストで記載されているが、その他任意の波形タイプが、本願の特許請求の範囲のスコープ内にあることが意図されていることが考慮されるべきである。
【００３９】
適用されるべき特定の波形タイプが識別されると、信号生成構成要素２０８は、アップリンク送信の一部として基地局２０４へ送信されうる基準信号を生成しうる。さらに詳しくは、信号生成構成要素２０８によって生成された基準信号は、アクセス端末２０２によって使用されている特定の波形タイプを示しうる。したがって、信号生成構成要素２０８は、アップリンク送信のために利用されている特定の波形タイプに応じて基準信号を出力しうる。
【００４０】
信号生成構成要素２０８によって生成された基準信号は、例えば、復調基準信号（ＤＭ−ＲＳ）でありうる。復調基準信号は、基地局２０４におけるコヒーレントな検出および復調のためのチャネル推定を容易にするために、アップリンクで送信されうる。さらに、復調基準信号は、Ｚａｄｏｆｆ−Ｃｈｕシーケンスを用いて、信号生成構成要素２０８によって生成されうる。
【００４１】
Ｚａｄｏｆｆ−Ｃｈｕシーケンスは、一定の大きさの電磁気信号（例えば、復調基準信号）を生成するために使用されうる複素数値シーケンスである。Ｚａｄｏｆｆ−Ｃｈｕシーケンスは、２つのパラメータ、すなわち、ルート・シーケンス（例えば、ルート・インデクス）およびサイクリック・シフトに基づきうる。共通のルート・シーケンスと、異なるサイクリック・シフトとを用いて生成されたＺａｄｏｆｆ−Ｃｈｕシーケンスからそれぞれ生成された信号（例えば、共通のルート・シーケンスの異なるサイクリック・シフト・バージョンに基づいて生成された信号間のゼロ相関）は、互いに直交する。さらに、異なるルート・シーケンスから生成されたＺａｄｏｆｆ−Ｃｈｕシーケンスからそれぞれ生成された信号は、低い相互相関しか持たない。
【００４２】
さまざまな実施形態によれば、信号生成構成要素２０８は、アップリンク送信のために使用されている特定の波形タイプに応じて、異なる復調基準信号を生成しうる。例えば、異なる復調基準信号を生成するために、信号生成構成要素２０８は、特定の波形タイプに基づいて、異なるＺａｄｏｆｆ−Ｃｈｕシーケンスを使用することができる。したがって、第１の波形タイプ（例えば、ＳＣ−ＦＤＭＡ波形）が、アップリンク送信のために波形制御構成要素２０６によって導入されている場合、第１の復調基準信号を出力するために、信号生成構成要素２０８によって、第１のＺａｄｏｆｆ−Ｃｈｕシーケンスが使用されうる。一方、第２の波形タイプ（例えば、ＯＦＤＭＡ波形）が、アップリンク送信のために波形制御構成要素２０６によって導入されている場合、第２の復調基準信号を出力するために、信号生成構成要素２０８によって、第２のＺａｄｏｆｆ−Ｃｈｕシーケンスが使用されうる。前述によれば、第１のＺａｄｏｆｆ−Ｃｈｕシーケンスは、第２のＺａｄｏｆｆ−Ｃｈｕシーケンスとは異なりうる。
【００４３】
例によれば、共通のルート・シーケンスの異なるサイクリック・シフト・バージョンから、異なるＺａｄｏｆｆ−Ｃｈｕシーケンスが生成されうる。したがって、サイクリック・シフトはそれぞれ、各波形タイプに対応しうる（例えば、各別の波形タイプは、他の波形タイプに関連付けられたサイクリック・シフトとは異なるサイクリック・シフトと関連付けられうる）。したがって、この例によれば、信号生成構成要素２０８は、波形タイプに応じて特定のサイクリック・シフトを特定し（例えば、特定のサイクリック・シフトが、波形タイプにマッピングしうる。ここで、このマッピングは、動的に決定され、静的に定義され、メモリ内のルックアップ・テーブルに保持されうる）、識別されたサイクリック・シフトに基づいてＺａｄｏｆｆ−Ｃｈｕシーケンスを生成および／または選択し、生成および／または選択されたＺａｄｏｆｆ−Ｃｈｕシーケンスを用いて復調基準信号を生成しうる。さらに、生成された復調基準信号は、アップリンクで基地局２０４へ送信されうる。
【００４４】
別の例によれば、異なるルート・シーケンス（例えば、異なるルート・インデクス）から、異なるＺａｄｏｆｆ−Ｃｈｕシーケンスが生成されうる。この例によれば、それぞれのルート・シーケンスは、各波形タイプに対応しうる（例えば、異なる各波形タイプは、他の波形タイプに関連付けられたルート・シーケンスと異なるルート・シーケンスに関連付けられうる）。したがって、信号生成構成要素２０８は、波形タイプに応じて特定のルート・シーケンスを認識し（例えば、特定のルート・シーケンスが、波形タイプにマッピングしうる。ここで、このマッピングは、動的に決定され、静的に定義され、メモリ内のルックアップ・テーブルに保持されうる）、認識されたルート・シーケンスに基づいてＺａｄｏｆｆ−Ｃｈｕシーケンスを生成および／または選択し、生成および／または選択されたＺａｄｏｆｆ−Ｃｈｕシーケンスを用いて復調基準信号を生成しうる。さらに、生成された復調基準信号は、アップリンクによって基地局２０４へ送信されうる。
【００４５】
別の例によれば、信号生成構成要素２０８は、共通のＺａｄｏｆｆ−Ｃｈｕシーケンスから、異なる復調基準信号を生成しうる。さらに詳しくは、入力として、同じＺａｄｏｆｆ−Ｃｈｕシーケンスが、信号生成構成要素２０８によって使用され、波形タイプに依存して、ディスクリート・フーリエ変換（ＤＦＴ）／高速フーリエ変換（ＦＦＴ）演算が、Ｚａｄｏｆｆ−Ｃｈｕシーケンスに選択的に適用されうる。例えば、ＤＦＴ／ＦＦＴ演算が、第１の波形タイプについて有効とされる一方、第２の波形タイプについてスキップされうる。例示によれば、信号生成構成要素２０８は、第１の波形タイプのために、ＤＦＴ／ＦＦＴ演算を共通のＺａｄｏｆｆ−Ｃｈｕシーケンスに適用することによって事前符号化の変更を行い、その後、基地局２０４への送信のために第１の波形タイプに対応する復調基準信号を生成するために、逆高速フーリエ変換（ＩＦＦＴ）演算を含む演算を有効にする。対照的に、第２の波形タイプの場合、信号生成構成要素２０８は、共通のＺａｄｏｆｆ−ＣｈｕシーケンスへＤＦＴ／ＦＦＴ演算を適用することを禁止しうる。むしろ、信号生成構成要素２０８は、基地局２０４への送信のために第２の波形タイプに対応する復調基準信号を生成するために、（例えば、共通のＺａｄｏｆｆ−Ｃｈｕシーケンスに対してＤＦＴ／ＦＦＴ演算を実行することなく）共通のＺａｄｏｆｆ−Ｃｈｕシーケンスに対するＩＦＦＴ演算を含む演算を実行しうる。
【００４６】
他の実施形態によれば、信号生成構成要素２０８は、波形タイプに関わらず、実質的に同じ復調基準信号を生成し、この復調基準信号を、波形タイプに応じて、異なるシンボル・ロケーション、トーン・ロケーション、またはこれらの組み合わせで送信しうる。例えば、物理アップリンク共有チャネル（ＰＵＳＣＨ）のおのおののスロット（例えば、おのおのの０．５ミリ秒のスロット）に含まれる１つのシンボルが、復調基準信号を伝送しうる。別の例によれば、物理アップリンク制御チャネル（ＰＵＣＣＨ）の各スロット（例えば、各０．５ミリ秒スロット）に含まれる２または３のシンボルが、ＰＵＣＣＨフォーマットおよびサイクリック・プレフィクス長さに依存して、復調基準信号を伝送しうる。したがって、例えば、信号生成構成要素２０８は、波形タイプに基づいて、復調基準信号を伝送するための（例えば、各スロット内の）シンボル・ロケーションを選択し、この選択されたシンボル・ロケーションで、復調基準信号を送信しうる。別の例によれば、信号生成構成要素２０８は、波形タイプに基づいて、復調基準信号を伝送するためのトーン・ロケーション（例えば、サブキャリア）を選択し、この選択されたトーン・ロケーションで、復調基準信号を送信しうる。この例によれば、アップリンク送信のために、アクセス端末２０２へ（例えば、おのおの２４のトーン／サブキャリアを含む）２つのリソース・ブロック（ＲＢ）が割り当てられた場合、第１の波形タイプが適用されていれば、復調基準信号を送信するために、信号生成構成要素２０８によって、第１のリソース・ブロックからのサブキャリアが使用され、第２の波形タイプが適用されていれば、復調基準信号を送信するために、信号生成構成要素２０８によって、第２のリソース・ブロックからのサブキャリアが使用されうる。しかしながら、権利主張される主題は、それに限定されないことが認識されるべきである。
【００４７】
基地局２０４は、アクセス端末２０２からのアップリンク送信を受信し、アップリンク送信のために利用されている波形タイプを効率的に識別しうる。したがって、基地局２０４は、識別された波形タイプに基づいて、アップリンク送信の検出、復号、復調等を行いうる。前述したものを有効にするために、基地局２０４は、パラメータ評価構成要素２１０と波形検出構成要素２１２を含みうる。
【００４８】
パラメータ評価構成要素２１０は、アップリンクによってアクセス端末２０２から受信した復調基準信号に関連付けられたパラメータを認識しうる。例えば、パラメータ評価構成要素２１０によって識別されたパラメータは、受信した復調基準信号に関連付けられた特定のシーケンス（例えば、Ｚａｄｏｆｆ−Ｃｈｕシーケンス）の識別情報でありうる。特定のシーケンスの識別情報は、仮定されたシーケンスのローカル・コピーとの相関付け後のエネルギ検出に基づいて、パラメータ評価構成要素２１０によって分析されうる。例えば、おのおのが、ＩＦＦＴ演算の実行前のＤＦＴ／ＦＦＴ演算の使用、ルート・インデクス、および／または、サイクリック・シフトに基づいて異なりうる可能なシーケンスのセットから、特定のシーケンスが認識されうる。したがって、パラメータ評価構成要素２１０は、受信した復調基準信号に関連付けられたＺａｄｏｆｆ−Ｃｈｕシーケンスの特定のルート・インデクス、および／または、特定のサイクリック・シフトを区別しうる。さらに、パラメータ評価構成要素２１０は、ＩＦＦＴ演算を適用する前にＤＦＴ／ＦＦＴ演算がＺａｄｏｆｆ−Ｃｈｕシーケンスへ適用されたか否かを検出するために、受信した復調基準信号を評価しうる。別の例によれば、パラメータ評価構成要素２１０によって認識されたパラメータは、復調基準信号が伝送されるトーン・ロケーションおよび／またはシンボル・ロケーションでありうる。さらに、前述した例のパラメータの組み合わせが、パラメータ評価構成要素２１０によって分析されうることが考慮される。
【００４９】
さらに、パラメータ評価構成要素２１０によって識別されたパラメータに基づいて、波形検出構成要素２１２は、アップリンク上のアクセス端末２０２によって利用されている波形タイプを検出しうる。例えば、波形タイプは、パラメータ評価構成要素２１０によって検出されたパラメータのうちの１または複数にマップしうる。さらに、パラメータと波形タイプとの間の関係は、動的に決定されるか、静的に定義される等されうる。例えば、パラメータと波形タイプとの間のマッピングは、（例えば基地局２０４の）メモリ内のルックアップ・テーブルに保持されうる。しかしながら、権利主張された主題は、それには限定されない。
【００５０】
図３に移って、無線通信環境におけるアップリンク送信のために利用されている波形タイプを管理するシステム３００が例示される。システム３００は、アクセス端末２０２および基地局２０４を含んでいる。本明細書で説明するように、アクセス端末２０２は、特定の波形タイプを持つアップリンク送信を生成することを管理しうる波形制御構成要素２０６と、アクセス端末２０２によって適用されている特定の波形タイプを、アップリンクによって基地局２０４へ送信される復調基準信号によって示しうる信号生成構成要素２０８とを含みうる。さらに、基地局２０４は、パラメータ評価構成要素２１０および波形検出構成要素２１２を導入することにより、アップリンク送信のためにアクセス端末２０２によって利用されている特定の波形タイプを復調基準信号から区別しうる。
【００５１】
基地局２０４はさらに、アップリンク送信のためにアクセス端末２０２によって利用されるべき、基地局によって選択された波形タイプを識別する情報をシグナルしうるアップリンク波形管理構成要素３０２を含みうる。例えば、アクセス端末２０２へ送信されたアップリンク波形管理構成要素３０２によって生成された信号によって伝送された情報によって、波形制御構成要素２０６は、（例えば、アップリンク送信のために波形制御構成要素２０６によって実際に利用されているような）特定の波形タイプとして、情報によって識別され、基地局によって選択された波形タイプを利用できるようになる。例によれば、アップリンク波形管理構成要素３０２は、基地局によって選択された波形タイプを識別する情報をシグナルするために、ダウンリンク制御チャネルを使用しうる。この例によれば、基地局によって選択された波形タイプを識別する情報を伝送するレイヤ１制御信号が、物理ダウンリンク制御チャネル（ＰＤＣＣＨ）によって送信されうる。これによって、波形タイプ間の動的な切り替え（例えば、サブフレーム毎の波形タイプ間の切り替え）が可能となる。しかしながら、権利主張された主題は、それには限定されない。別の例によれば、アップリンク波形管理構成要素３０２は、基地局によって選択された波形タイプを識別する情報をシグナルするために、レイヤ３シグナリング（例えば、ラジオ・リソース制御（ＲＲＣ）シグナリング）を使用しうる。この例によれば、ＲＲＣシグナリングによって、ある期間（例えば、１００ミリ秒）の間、波形タイプを静的に割り当てることが可能となる。しかしながら、権利主張される主題は、それに限定されない。別の例によれば、デフォルト波形タイプが、（例えば、アップリンク波形管理構成要素３０２によって制御されるような）システム情報内に含まれうる。これは、アップリンク送信を基地局２０４へ送信する場合に、アクセス端末によって利用されるべきデフォルト波形タイプを示しうる。デフォルト波形タイプはその後、（例えば、アップリンク波形管理構成要素３０２、アクセス端末２０２によって）変更されうる。別の例によれば、基地局２０４は、基地局によって選択された波形タイプ、および／または、デフォルト波形タイプを示す必要は無く、アクセス端末２０２は、特定の波形タイプを選択しうることが考慮される。
【００５２】
その上、アクセス端末２０２はさらに、（例えば、波形制御構成要素２０６によって管理されるように）アクセス端末２０２によって利用されるべき特定の波形タイプを選択しうるメトリック分析構成要素３０４を含みうる。メトリック分析構成要素３０４は、１または複数のメトリックに基づいて、特定の波形タイプを選択しうる。例えば、メトリック分析構成要素３０４は、信号対雑音比（ＳＮＲ）、立方メトリック、電力ヘッドルーム、形状、送信モード、これらの組み合わせ、またはその他任意のメトリックを評価し、この評価に基づいて、特定の波形タイプを選択しうる。
【００５３】
さらに、メトリック分析構成要素３０４（または波形制御構成要素２０６）は、アップリンクで使用するための特定の波形タイプを選択することによって、（例えば、アップリンク波形管理構成要素３０２によって生成された）基地局２０４からのシグナリングを無視しうる（例えば、特定の波形タイプは、基地局２０４によってシグナルされ、基地局によって選択された波形タイプに一致しているか、または、異なっており、特定の波形タイプは、システム情報で示されるデフォルト波形タイプに一致しているか、または、異なっている）。例示によれば、アップリンク波形管理構成要素３０２は、アップリンクにおいてアクセス端末２０２はＳＣ−ＦＤＭＡを利用すべきであることを示す情報をシグナルしうる。しかしながら、メトリック分析構成要素３０４は、１または複数のメトリックの評価に基づいて、基地局２０４からシグナルされた情報を無視し、代わりに、波形制御構成要素２０６に対して、アップリンクにおいてＯＦＤＭＡを使用させうる。しかしながら、権利主張される主題は、前述した例に限定されないことが認識されるべきである。
【００５４】
図４および図５に示すように、無線通信環境におけるアップリンク送信のために利用される波形タイプを示すことに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００５５】
図４を参照して、無線通信環境において、適用されている波形タイプを識別することを容易にする方法４００が例示される。４０２では、（例えば基地局への）アップリンク送信のための波形タイプが選択されうる。波形タイプは、可能な波形タイプのセットから選択されうる。例によれば、可能な波形タイプのセットは、単一キャリア周波数分割多元接続（ＳＣ−ＦＤＭＡ）波形および直交周波数分割多元接続（ＯＦＤＭＡ）を含みうる。しかしながら、その他の任意の波形タイプがセットに含まれうることが考慮される。さらに、波形タイプは、（例えば、基地局、レイヤ１制御信号、レイヤ３信号から）受信された信号に応じて選択されうる。さらに、受信された信号は、アップリンク送信を生成するアクセス端末によって無視されうる。さらなる例によれば、例えば、信号対雑音比（ＳＮＲ）、立方メトリック、電力ヘッドルーム、形状、送信モード、これらの組み合わせ、またはその他任意のメトリックのようなメトリックに基づいて波形が選択されうる。
【００５６】
４０４では、選択された波形タイプに応じて基準信号が生成されうる。基準信号は、Ｚａｄｏｆｆ−Ｃｈｕシーケンスから生成された復調基準信号でありうる。さまざまな実施形態によれば、復調基準信号のために使用されるＺａｄｏｆｆ−Ｃｈｕシーケンスは、選択された波形タイプに応じうる。例えば、可能な異なるサイクリック・シフトのセットから、Ｚａｄｏｆｆ−Ｃｈｕシーケンスのためのサイクリック・シフトが選択されうる。選択されたサイクリック・シフトは、選択された波形タイプに対応する。別の例によれば、可能な異なるルート・インデクスのセットから、Ｚａｄｏｆｆ−Ｃｈｕシーケンスのためのルート・インデクスが選択されうる。選択されたルート・インデクスは、選択された波形タイプに対応する。別の例によれば、復調基準信号に対して逆高速フーリエ変換（ＩＦＦＴ）演算を実施する前に、復調基準信号に対して、ディスクリート・フーリエ変換（ＤＦＴ）／高速フーリエ変換（ＦＦＴ）演算が適用されるかは、選択された波形タイプに応じて制御されうる。他の実施形態によれば、復調基準信号のシンボル・ロケーション、トーン・ロケーション、あるいはこれらの組み合わせが、選択された波形タイプに応じて管理されうる。４０６では、アップリンク送信の一部として、（例えば復調基準信号のような）基準信号が（例えば基地局へ）送信されうる。したがって、基準信号は、アップリンク送信のために利用されている波形タイプを識別しうる。
【００５７】
次に図５に移って、無線通信環境において、利用されている波形タイプを認識することを容易にする方法５００が例示される。５０２では、基準信号を含むアップリンク送信が（例えば、アクセス端末から）受信されうる。この基準信号は、例えば、復調基準信号でありうる。例示によれば、アップリンク送信のために使用されるべきである、基地局によって選択された波形タイプを示す信号（例えば、レイヤ１信号、レイヤ３信号）が送信されうる。５０４では、基準信号に関連付けられたパラメータが認識されうる。例えば、このパラメータは、基準信号に関連付けられたＺａｄｏｆｆ−Ｃｈｕシーケンスの識別情報でありうる。Ｚａｄｏｆｆ−Ｃｈｕシーケンスの識別情報は、仮定されているＺａｄｏｆｆ−Ｃｈｕシーケンスのローカル・コピーとの相関後のエネルギ検出に基づいて評価されうる。例示によれば、Ｚａｄｏｆｆ−Ｃｈｕシーケンスに関連付けられたルート・インデクスおよび／またはサイクリック・シフトが検出されうる。さらなる例示によれば、ＩＦＦＴ演算を適用する前にＺａｄｏｆｆ−ＣｈｕシーケンスにＤＦＴ／ＦＦＴ演算が適用されるかが分析されうる。別の例によれば、パラメータは、復調基準信号が伝送されるシンボル・ロケーション、トーン・ロケーション、またはこれらの組み合わせでありうる。５０６では、アップリンク送信のために利用されている波形タイプが、認識されたパラメータに基づいて検出されうる。例えば、波形タイプは、認識されたパラメータにマップしうる。その後、検出された波形タイプが、例えばアップリンク送信を復号、復調等するために導入されうる。
【００５８】
本明細書に記載された１または複数の態様によれば、無線通信環境において、アップリンクにおいて適用されている波形タイプを示すことに関して推論がなされうる。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に接近していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５９】
図６は、無線通信システムにおいてアップリンクで利用されている波形タイプを示すアクセス端末６００の例示である。アクセス端末６００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機６０２を備えうる。受信機６０２は、例えばＭＭＳＥ受信機であり、受信したシンボルを復調し、それらをチャネル推定のためにプロセッサ６０６へ送る復調器６０４を備えうる。プロセッサ６０６は、受信機６０２によって受信された情報を分析すること、および／または、送信機６１８による送信のための情報を生成することに特化されたプロセッサ、アクセス端末６００の１または複数の構成要素を制御するプロセッサ、および／または、受信機６０２によって受信された情報を分析することと、送信機６１６による送信のための情報を生成することと、アクセス端末６００のうちの１または複数の構成要素を制御することとのすべて行うプロセッサでありうる。
【００６０】
アクセス端末６００は、プロセッサ６０６に動作可能に接続されたメモリ６０８をさらに備える。このメモリは、送信されるべきデータ、受信したデータ、および、本明細書に記載されたさまざまな動作および機能を実行することに関連するその他任意の適切な情報を格納しうる。メモリ６０８は、例えば、アップリンク送信のために適用される波形タイプを選択することと、アップリンク送信のために適用されるべき選択された波形タイプを識別する基準信号を生成すること等に関連付けられたプロトコルおよび／またはアルゴリズムを格納しうる。
【００６１】
本明細書に記載されたデータ・ストア（例えば、メモリ６０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。例示によれば、限定することなく、ＲＡＭは、例えばスタティックＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。主題となるシステムおよび方法のメモリ６０８は、限定される訳ではないが、これらおよびその他任意の適切なタイプのメモリを備えることが意図される。
【００６２】
プロセッサ６０６は、波形制御構成要素６１０および／または信号生成構成要素６１２に動作可能に接続されうる。波形制御構成要素６１０は、図２の波形制御構成要素２０６に実質的に同一であるか、および／、または、信号生成構成要素６１２は、図２の信号生成構成要素２０８に実質的に同一でありうる。波形制御構成要素６１０は、アップリンク送信のために利用されるべき波形タイプを選択しうる。さらに、信号生成構成要素６１２は、選択された波形タイプ基づいて、基準信号（例えば復調基準信号）を生成しうる。したがって、基準信号は、選択された波形タイプを識別しうる。図示していないが、アクセス端末６００はさらに、図３のメトリック分析構成要素３０４に実質的に同一でありうるメトリック分析構成要素を含みうることが認識されるべきである。アクセス端末６００はさらに、変調器６１４と、データ、信号等を基地局へ送信する送信機６１６とを備える。プロセッサ６０６と別に示されているが、波形制御構成要素６１０、信号生成構成要素６１２、および／または、変調器６１４は、プロセッサ６０６または多くのプロセッサ（図示せず）の一部でありうることが認識されるべきである。
【００６３】
図７は、無線通信環境においてアップリンクで利用されている波形タイプを識別するシステム７００の例示である。システム７００は、複数の受信アンテナ７０６を介して１または複数のアクセス端末７０４から信号を受信する受信機７１０を備えた基地局７０２（例えば、アクセス・ポイント）と、送信アンテナ７０８を介して１または複数のアクセス端末７０４へ信号を送信する送信機７２４とを備える。受信機７１０は、受信アンテナ７０６から情報を受信する。さらに、受信した情報を復調する復調器７１２と動作可能に関連付けられている。復調されたシンボルは、図６に関して上述したプロセッサに類似し、メモリ７１６に接続されたプロセッサ７１４によって分析されうる。メモリ７１６は、アクセス端末７０４へ送信されるべきデータ、あるいは、アクセス端末７０４から受信したデータ、および／または、本明細書に記載されたさまざまな動作および機能を実行することに関連するその他任意の適切な情報を格納する。プロセッサ７１４はさらに、パラメータ評価構成要素７１８および／または波形検出構成要素７２０に接続されている。パラメータ評価構成要素７１８は、図２のパラメータ評価構成要素２１０に実質的に同一であり、および／または、波形検出構成要素７２０は、図２の波形検出構成要素２１２に実質的に同一でありうる。パラメータ評価構成要素７１８は、アップリンク送信の一部として受信された基準信号に関連付けられた１または複数のパラメータを認識しうる。さらに、波形検出構成要素７２０は、認識された１または複数のパラメータに基づいて、アップリンク送信に対応する波形タイプを解読しうる。さらに、図示されていないが、基地局７０２はさらに、図３のアップリンク波形管理構成要素３０２に実質的に同一であるアップリンク波形管理構成要素を含みうることが考慮される。基地局７０２はさらに、変調器７２２を含みうる。変調器７２２は、前述の説明にしたがって、送信機７２４によるアンテナ７０８を経由したアクセス端末７０４への送信のために、フレームを多重化しうる。プロセッサ７１４と別に示されているが、パラメータ評価構成要素７１８、波形検出構成要素７２０、および／または、変調器７２２は、プロセッサ７１４あるいは多くのプロセッサ（図示せず）のうちの一部でありうることが認識されるべきである。
【００６４】
図８は、無線通信システム８００の例を示す。無線通信システム８００は、簡潔さの目的のため、１つの基地局８１０と１つのアクセス端末８５０しか示していない。しかしながら、システム８００は、１より多い基地局、および／または、１より多いアクセス端末を含みうることが認識されるべきである。ここで、追加の基地局および／またはアクセス端末は、以下に示す基地局８１０およびアクセス端末８５０の例と実質的に類似しうるか、あるいは、異なりうる。さらに、基地局８１０および／またはアクセス端末８５０は、その間の無線通信を容易にするために、本明細書に記載されたシステム（図１−図３、図６−図７、および図９−図１０）および／または方法（図４−図５）を適用しうることが認識されるべきである。
【００６５】
基地局８１０では、多くのデータ・ストリームのためのトラフィック・データが、データ・ソース８１２から送信（ＴＸ）データ・プロセッサ８１４へ提供される。一例によれば、おのおののデータ・ストリームが、それぞれのアンテナを介して送信される。ＴＸデータ・プロセッサ８１４は、トラフィック・データ・ストリームをフォーマットし、このデータ・ストリームのために選択された特定の符合化スキームに基づいて符号化し、インタリーブして、符合化されたデータを提供する。
【００６６】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末８５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ８３０によって実行または提供される指示によって決定されうる。
【００６７】
データ・ストリームの変調シンボルは、（例えば、ＯＦＤＭのために）変調シンボルを処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００６８】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００６９】
アクセス端末８５０では、送信された変調信号が、ＮＲ個のアンテナ８５２ａ乃至８５２ｒによって受信され、受信された信号がおのおののアンテナ８５２からそれぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７０】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００７１】
プロセッサ８７０は、上述したように、利用可能などの技術を利用するのかを定期的に決定する。さらに、プロセッサ８７０は、行列インデクス部およびランク値部を備えた逆方向リンク・メッセージを規定することができる。
【００７２】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００７３】
基地局８１０では、アクセス端末８５０からの変調信号が、アンテナ８２４によって受信され、受信機８２２によって調整され、復調器８４０によって復調され、ＲＸデータ・プロセッサ８４２によって処理されることにより、アクセス端末８５０によって送信された逆方向リンク・メッセージが抽出される。さらに、プロセッサ８３０は、ビームフォーミング重みを決定するためにどの事前符合化行列を使用するかを決定するために、この抽出されたメッセージを処理する。
【００７４】
プロセッサ８３０およびプロセッサ８７０は、基地局８１０およびアクセス端末８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行する。
【００７５】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００７６】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００７７】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００７８】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００７９】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００８０】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８１】
図９を参照して、無線通信環境において適用されている波形タイプを示すことを可能にするシステム９００が例示されている。例えば、システム９００は、アクセス端末内に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。例えば、論理グループ９０２は、アップリンク送信のための波形タイプに基づいて、基準信号を生成するための電子構成要素９０４を含みうる。さらに、論理グループ９０２は、基準信号を含むアップリンク送信を送るための電子構成要素９０６を含みうる。さらに、論理グループ９０２は、オプションとして、アップリンク送信のための波形タイプを選択するための電子構成要素９０８を含みうる。論理グループ９０２はさらに、オプションとして、シグナルされた波形タイプの選択を無視するための電子構成要素９１０を含みうる。さらに、システム９００は、電子構成要素９０４、９０６、９０８、９１０に関連付けられた機能を実行するための命令群を保持するメモリ９１２を含みうる。メモリ９１２の外側にあるとして示されているが、電子構成要素９０４、９０６、９０８、９１０のうちの１または複数は、メモリ９１２内に存在しうることが理解されるべきである。
【００８２】
図１０を参照して、無線通信環境において利用されている波形タイプの認識を可能にするシステム１０００が例示される。例えば、システム１０００は、基地局内に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、受信したアップリンク送信に含まれる基準信号に関連付けられたパラメータを識別するための電子構成要素１００４を含みうる。さらに、論理グループ１００２は、識別されたパラメータに応じて、アップリンク送信のために利用されている波形タイプを検出するための電子構成要素１００６を含みうる。さらに、論理グループ１００２は、オプションとして、アップリンク送信のために利用される波形タイプを制御する信号を送信するための電子構成要素１００８を含みうる。さらに、システム１０００は、電子構成要素１００４、１００６、１００８に関連付けられた機能を実行するための命令群を保持するメモリ１０１０を含みうる。メモリ１０１０の外側にあると示されているが、電子構成要素１００４、１００６、１００８のうちの１または複数は、メモリ１０１０内に存在しうることが理解されるべきである。
【００８３】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
なお、以下に、出願当初の特許請求の範囲に記載された発明を付記する。
［発明１］
無線通信環境において適用されている波形タイプを識別することを容易にする方法であって、
アップリンク送信のための波形タイプを選択することと、
前記選択された波形タイプに応じて基準信号を生成することと、
前記アップリンク送信の一部として基準信号を送信することと
を備える方法。
［発明２］
前記波形タイプは、可能な波形タイプのセットから選択される発明１に記載の方法。
［発明３］
前記可能な波形タイプのセットは、単一キャリア周波数分割多元接続（ＳＣ−ＦＤＭＡ）波形および直交周波数分割多元接続（ＯＦＤＭＡ）波形を含む発明２に記載の方法。
［発明４］
受信した信号に応じて、前記アップリンク送信のための波形タイプを選択することをさらに備える発明１に記載の方法。
［発明５］
前記アップリンク送信のための波形タイプを選択することはさらに、受信した信号を無視することを備える発明１に記載の方法。
［発明６］
前記アップリンク送信のための波形タイプを、メトリックに基づいて選択することをさらに備える発明１に記載の方法。
［発明７］
前記基準信号は、Ｚａｄｏｆｆ−Ｃｈｕシーケンスから生成された復調基準信号である発明１に記載の方法。
［発明８］
前記復調基準信号のために使用されるＺａｄｏｆｆ−Ｃｈｕシーケンスは、前記選択された波形タイプに応じている発明７に記載の方法。
［発明９］
前記選択された波形タイプに応じて基準信号を生成することはさらに、前記Ｚａｄｏｆｆ−Ｃｈｕシーケンスのための可能な異なるサイクリック・シフトのセットから、サイクリック・シフトを選択することを備え、
前記選択されたサイクリック・シフトは、前記選択された波形タイプに対応する発明８に記載の方法。
［発明１０］
前記選択された波形タイプに応じて基準信号を生成することはさらに、前記Ｚａｄｏｆｆ−Ｃｈｕシーケンスのための可能な異なるルート・インデクスのセットから、ルート・インデクスを選択することを備え、
前記選択されたルート・インデクスは、前記選択された波形タイプに対応する発明８に記載の方法。
［発明１１］
前記選択された波形タイプに応じて基準信号を生成することはさらに、前記選択された波形タイプに応じて、前記復調基準信号に対して逆高速フーリエ変換（ＩＦＦＴ）演算を実施する前に、前記復調基準信号に対してディスクリート・フーリエ変換（ＤＦＴ）／高速フーリエ変換（ＦＦＴ）演算が適用されるかを制御することを備える発明８に記載の方法。
［発明１２］
前記選択された波形タイプに応じて基準信号を生成することはさらに、前記選択された波形タイプに応じて、前記基準信号のシンボル・ロケーションまたはトーン・ロケーションのうちの少なくとも１つを管理することを備える発明１に記載の方法。
［発明１３］
無線通信装置であって、
アップリンク送信のための波形タイプを選択することと、
前記選択された波形タイプに応じて復調基準信号を生成することと、
前記復調基準信号を、前記アップリンク送信の一部として送信することと、
に関連する命令群を保持するメモリと、
前記メモリに接続され、前記メモリに保持された命令群を実行するように構成されたプロセッサと
を備える無線通信装置。
［発明１４］
前記波形タイプは、単一キャリア周波数分割多元接続（ＳＣ−ＦＤＭＡ）波形および直交周波数分割多元接続（ＯＦＤＭＡ）波形を含む可能な波形タイプのセットから選択される発明１３に記載の無線通信装置。
［発明１５］
前記メモリはさらに、受信した信号に応じて、前記アップリンク送信のための波形タイプを選択することに関連する命令群を備える発明１３に記載の無線通信装置。
［発明１６］
前記メモリはさらに、前記受信した信号を無視することによって、前記アップリンク送信のための波形タイプを選択することに関連する命令群を保持する発明１５に記載の無線通信装置。
［発明１７］
前記メモリはさらに、前記アップリンク送信のための波形タイプを、メトリックに基づいて選択することに関連する命令群を保持し、
前記メトリックは、信号対雑音比（ＳＮＲ）、立方メトリック、電力ヘッドルーム、形状、または送信モードのうちの少なくとも１つに関連する発明１３に記載の無線通信装置。
［発明１８］
前記メモリはさらに、前記復調基準信号からＺａｄｏｆｆ−Ｃｈｕシーケンスを生成することに関連する命令群を保持し、
前記Ｚａｄｏｆｆ−Ｃｈｕシーケンスは、前記選択された波形タイプに応じている発明１３に記載の無線通信装置。
［発明１９］
前記メモリはさらに、前記Ｚａｄｏｆｆ−Ｃｈｕシーケンスのための可能な異なるサイクリック・シフトのセットから、サイクリック・シフトを選択することに関連する命令群を保持し、
前記選択されたサイクリック・シフトは、前記選択された波形タイプに対応する発明１８に記載の無線通信装置。
［発明２０］
前記メモリはさらに、前記Ｚａｄｏｆｆ−Ｃｈｕシーケンスのための可能な異なるルート・インデクスのセットから、ルート・インデクスを選択することに関連する命令群を保持し、
前記選択されたルート・インデクスは、前記選択された波形タイプに対応する発明１８に記載の無線通信装置。
［発明２１］
前記メモリはさらに、前記選択された波形タイプに応じて、前記復調基準信号に対して逆高速フーリエ変換（ＩＦＦＴ）演算を実施する前に、前記復調基準信号に対してディスクリート・フーリエ変換（ＤＦＴ）／高速フーリエ変換（ＦＦＴ）演算が適用されるかを管理することに関連する命令群を保持する発明１８に記載の無線通信装置。
［発明２２］
前記メモリはさらに、前記選択された波形タイプに応じて、前記復調基準信号のシンボル・ロケーションまたはトーン・ロケーションのうちの少なくとも１つを制御することに関連する命令群を保持する発明１３に記載の無線通信装置。
［発明２３］
無線通信環境において、適用されている波形タイプを示すことを可能にする無線通信装置であって、
アップリンク送信のための波形タイプに基づいて基準信号を生成する手段と、
前記基準信号を含むアップリンク送信を伝送する手段と
を備える無線通信装置。
［発明２４］
前記アップリンク送信のための波形タイプを選択する手段をさらに備える発明２３に記載の無線通信装置。
［発明２５］
前記波形タイプのシグナルされた選択を無視する手段をさらに備える発明２３に記載の無線通信装置。
［発明２６］
前記波形タイプは、単一キャリア周波数分割多元接続（ＳＣ−ＦＤＭＡ）波形および直交周波数分割多元接続（ＯＦＤＭＡ）波形を含む可能な波形タイプのセットからのものである発明２３に記載の無線通信装置。
［発明２７］
コンピュータ読取可能媒体を備えるコンピュータ・プログラム製品であって、
前記コンピュータ読取可能媒体は、
単一キャリア周波数分割多元接続（ＳＣ−ＦＤＭＡ）波形および直交周波数分割多元接続（ＯＦＤＭＡ）波形を含む可能な波形タイプのセットから選択される、アップリンク送信のための波形タイプを選択するためのコードと、
前記選択された波形タイプに応じて復調基準信号を生成するためのコードと、
前記アップリンク送信の一部として、前記復調基準信号を送信するためのコードと
を備えるコンピュータ・プログラム製品。
［発明２８］
前記コンピュータ読取可能媒体はさらに、受信された信号または分析されたメトリックのうちの少なくとも１つに基づいて、前記波形タイプを選択するためのコードを備える発明２７に記載のコンピュータ・プログラム製品。
［発明２９］
前記コンピュータ読取可能媒体はさらに、前記選択された波形タイプに基づいて、前記復調基準信号を生成するために利用されるシーケンスを選択するためのコードを備える発明２７に記載のコンピュータ・プログラム製品。
［発明３０］
前記コンピュータ読取可能媒体はさらに、前記選択された波形タイプに応じて、前記復調基準信号のシンボル・ロケーションまたはトーン・ロケーションのうちの少なくとも１つを制御するためのコードをさらに備える発明２７に記載のコンピュータ・プログラム製品。
［発明３１］
無線通信装置であって、
単一キャリア周波数分割多元接続（ＳＣ−ＦＤＭＡ）波形および直交周波数分割多元接続（ＯＦＤＭＡ）波形を含む可能な波形タイプのセットから選択される、アップリンク送信のための波形タイプを選択し、
前記選択された波形タイプに応じて復調基準信号を生成し、
前記アップリンク送信の一部として、前記復調基準信号を送信する
ように構成されたプロセッサを備える無線通信装置。
［発明３２］
無線通信環境において利用されている波形タイプを認識することを容易にする方法であって、
基準信号を含むアップリンク送信を受信することと、
前記基準信号に関連付けられたパラメータを認識することと、
前記認識されたパラメータに基づいて、前記アップリンク送信のために利用されている波形タイプを検出することと
を備える方法。
［発明３３］
前記基準信号は復調基準信号である発明３２に記載の方法。
［発明３４］
前記アップリンク送信のために使用されるべき、基地局によって選択された波形タイプを示す信号を送信することをさらに備える発明３２に記載の方法。
［発明３５］
前記パラメータは、前記基準信号に関連付けられたＺａｄｏｆｆ−Ｃｈｕシーケンスの識別情報である発明３２に記載の方法。
［発明３６］
仮定されているＺａｄｏｆｆ−Ｃｈｕシーケンスのローカル・コピーとの相関後のエネルギ検出に基づいて、前記Ｚａｄｏｆｆ−Ｃｈｕシーケンスの識別情報を評価することをさらに備える発明３５に記載の方法。
［発明３７］
前記Ｚａｄｏｆｆ−Ｃｈｕシーケンスの識別情報を評価することはさらに、前記Ｚａｄｏｆｆ−Ｃｈｕシーケンスのサイクリック・シフト、前記Ｚａｄｏｆｆ−Ｃｈｕシーケンスのルート・インデクス、あるいは、逆高速フーリエ変換（ＩＦＦＴ）演算を適用する前にＺａｄｏｆｆ−Ｃｈｕシーケンスにディスクリート・フーリエ変換（ＤＦＴ）／高速フーリエ変換（ＦＦＴ）演算が適用されるか、のうちの少なくとも１つを検出することを備える発明３６に記載の方法。
［発明３８］
前記パラメータは、前記基準信号が伝送されるシンボル・ロケーションまたはトーン・ロケーションのうちの少なくとも１つである発明３２に記載の方法。
［発明３９］
前記アップリンク送信の復号または復調のうちの少なくとも１つを行うために、前記検出された波形タイプを導入することをさらに備える発明３２に記載の方法。
［発明４０］
無線通信装置であって、
復調基準信号を含むアップリンク送信を取得することと、
前記復調基準信号に関連付けられたパラメータを識別することと、
前記識別されたパラメータに基づいて、前記アップリンク送信のために利用されている波形タイプを検出することと、
に関連する命令群を保持するメモリと、
前記メモリに接続され、前記メモリに保持された命令群を実行するように構成されたプロセッサと
を備える無線通信装置。
［発明４１］
前記メモリはさらに、前記アップリンク送信のために使用されるべき、基地局によって選択された波形タイプを示す信号を送信することに関連する命令群を保持する発明４０に記載の無線通信装置。
［発明４２］
前記パラメータは、前記復調基準信号に関連付けられたＺａｄｏｆｆ−Ｃｈｕシーケンスの識別情報、前記復調基準信号のシンボル・ロケーション、あるいは、前記復調基準信号のトーン・ロケーションのうちの１または複数である発明４０に記載の無線通信装置。
［発明４３］
前記メモリはさらに、仮定されているＺａｄｏｆｆ−Ｃｈｕシーケンスのローカル・コピーとの相関後のエネルギ検出に基づいて、前記Ｚａｄｏｆｆ−Ｃｈｕシーケンスの識別情報を分析することに関連する命令群を保持する発明４２に記載の無線通信装置。
［発明４４］
無線通信環境において利用されている波形タイプを認識することを可能にする無線通信装置であって、
受信したアップリンク送信内に含まれる基準信号に関連付けられたパラメータを識別する手段と、
前記識別されたパラメータに応じて、前記アップリンク送信のために利用されている波形タイプを検出する手段と
を備える無線通信装置。
［発明４５］
前記アップリンク送信のために使用される波形タイプを制御する信号を送信する手段をさらに備える発明４５に記載の無線通信装置。
［発明４６］
前記パラメータは、前記復調基準信号に関連付けられたＺａｄｏｆｆ−Ｃｈｕシーケンスの識別情報、前記復調基準信号のシンボル・ロケーション、あるいは、前記復調基準信号のトーン・ロケーションのうちの１または複数である発明４４に記載の無線通信装置。
［発明４７］
コンピュータ読取可能媒体を備えるコンピュータ・プログラム製品であって、
前記コンピュータ読取可能媒体は、
受信したアップリンク送信内に含まれる基準信号に関連付けられたパラメータを識別するためのコードと、
前記識別されたパラメータに応じて、前記アップリンク送信のために利用されている波形タイプを検出するためのコードと
を備えるコンピュータ・プログラム製品。
［発明４８］
前記コンピュータ読取可能媒体はさらに、前記アップリンク送信のために使用される波形タイプを制御する信号を送信するためのコードを備える発明４７に記載のコンピュータ・プログラム製品。
［発明４９］
前記パラメータは、前記復調基準信号に関連付けられたＺａｄｏｆｆ−Ｃｈｕシーケンスの識別情報、前記復調基準信号のシンボル・ロケーション、あるいは、前記復調基準信号のトーン・ロケーションのうちの１または複数である発明４７に記載のコンピュータ・プログラム製品。
［発明５０］
無線通信装置であって、
復調基準信号を含むアップリンク送信を受信し、
前記復調基準信号に関連付けられたＺａｄｏｆｆ−Ｃｈｕシーケンスの識別情報、前記復調基準信号のシンボル・ロケーション、または、前記復調基準信号のトーン・ロケーションのうちの少なくとも１つであり、前記復調基準信号に関連付けられたパラメータを認識し、
前記認識されたパラメータに基づいて、前記アップリンク送信のために利用されている波形タイプを検出し、
前記検出された波形タイプに基づいて、前記アップリンク送信を復号する
ように構成されたプロセッサを備える無線通信装置。
【図１】
0005373087.tif 000002
【図２】
0005373087.tif 000003
【図３】
0005373087.tif 000004
【図４】
0005373087.tif 000005
【図５】
0005373087.tif 000006
【図６】
0005373087.tif 000007
【図７】
0005373087.tif 000008
【図８】
0005373087.tif 000009
【図９】
0005373087.tif 000010
【図１０】
0005373087.tif 000011